(57)【要約】本発明の好適例は、第１スロットの無線周波数（ＲＦ）データを、ＲＦ信号経路経由でトランシーバからパワーアンプに送信するステップと、スロット間期間内の所定部分中にこのＲＦ信号経路をスケルチするステップと、第２スロットのＲＦデータを、上記ＲＦ信号経路経由で上記トランシーバから上記パワーアンプに送信するステップとを具えている方法を含む。
2009510833.tif 000002
【特許請求の範囲】
【請求項１】
第１スロットの無線周波数（ＲＦ）データを、ＲＦ信号経路経由でトランシーバからパワーアンプに送信するステップと；
スロット間期間内の所定部分中に、前記ＲＦ信号経路をスケルチするステップと；
第２スロットのＲＦデータを、前記ＲＦ信号経路経由で前記トランシーバから前記パワーアンプに送信するステップと
を具えていることを特徴とする方法。
【請求項２】
請求項１に記載の方法において、さらに、前記トランシーバを制御して前記ＲＦ信号経路をスケルチするステップを具えていることを特徴とする方法。
【請求項３】
請求項２に記載の方法において、前記トランシーバを制御するステップが、
制御情報をベースバンドプロセッサから受信するサブステップと；
前記制御情報に応答して、前記トランシーバの出力バッファを無効にするサブステップと
を具えていることを特徴とする方法。
【請求項４】
請求項１に記載の方法において、さらに、前記スロット間期間内の前記所定部分中に、前記トランシーバのランプ出力を無効にするステップを具えていることを特徴とする方法。
【請求項５】
請求項４に記載の方法において、さらに、前記スロット間期間中に、ベースバンド制御から、ランプ出力用のトランシーバ制御に切り替えるステップを有することを特徴とする方法。
【請求項６】
請求項５に記載の方法において、さらに、モード選択信号に基づいて、前記ベースバンド制御から前記トランシーバ制御に切り替えるステップを有することを特徴とする方法。
【請求項７】
請求項５に記載の方法において、さらに、混在モードにおいて前記ＲＦデータを送信するステップを具え、前記第１スロットが８‐ＰＳＫ変調方式のデータを含み、前記第２スロットがＧＭＳＫ変調方式のデータを含むことを特徴とする方法。
【請求項８】
ベースバンドデータを受信して、無線周波数（ＲＦ）データをパワーアンプに供給するトランシーバであって、マルチスロット通信における第１スロットと第２スロットとの間のスロット間期間中にＲＦ出力をスケルチするように制御可能なトランシーバと；
前記トランシーバを制御して前記ＲＦ出力をスケルチするコントローラと
を具えていることを特徴とする装置。
【請求項９】
請求項８に記載の装置において、前記コントローラが、前記トランシーバに結合されたベースバンドプロセッサを具え、該ベースバンドプロセッサが、制御情報を前記トランシーバに送信して前記ＲＦ出力をスケルチすることを特徴とする装置。
【請求項１０】
請求項９に記載の装置において、前記ベースバンドプロセッサが、制御情報を前記トランシーバに送信して前記トランシーバのランプ出力を無効にすることを特徴とする装置。
【請求項１１】
請求項１０に記載の装置において、前記トランシーバが、前記ベースバンドプロセッサからの前記制御情報の受信時に、前記トランシーバの前記ランプ出力を第１モードから第２モードに切り替えることを特徴とする装置。
【請求項１２】
請求項９に記載の装置において、前記トランシーバが、前記ＲＦデータを送信用に調整するための出力バッファを具え、前記制御情報は、前記出力バッファを無効にして前記ＲＦ出力をスケルチするための情報であることを特徴とする装置。
【請求項１３】
ベースバンドデータおよび制御情報を受信して、無線周波数（ＲＦ）データをパワーアンプに供給するトランシーバであって、混在モードのマルチスロット通信における第１スロットと第２スロットとの間のスロット間期間中にＲＦ出力をスケルチするトランシーバと；
前記ベースバンドデータおよび前記制御情報を出力するベースバンドプロセッサと；
前記トランシーバに結合され、前記ＲＦ出力を受信するパワーアンプと
を具えていることを特徴とするシステム。
【請求項１４】
請求項１３に記載のシステムにおいて、前記トランシーバが、ＧＭＳＫの動作モードにおいて、前記ベースバンドプロセッサからのランプ制御情報を前記パワーアンプに伝えることを特徴とするシステム。
【請求項１５】
請求項１４に記載のシステムにおいて、前記トランシーバが、８‐ＰＳＫの動作モードにおいて、前記ランプ制御情報を発生することを特徴とするシステム。
【請求項１６】
請求項１５に記載のシステムにおいて、前記トランシーバが、スロット間期間中に前記ランプ制御情報をスケルチすることを特徴とするシステム。
【請求項１７】
請求項１３に記載のシステムにおいて、前記トランシーバが、
前記パワーアンプ用のランプ出力信号を発生するランプ発生器と；
前記ランプ発生器の出力または前記ベースバンドプロセッサからのランプ制御信号を前記パワーアンプに伝えるように結合されたスイッチと
を具えていることを特徴とするシステム。
【請求項１８】
請求項１７に記載のシステムにおいて、前記トランシーバが、８‐ＰＳＫの動作モード中に、前記ランプ制御信号に基づいて前記ＲＦ出力のゲインを調整することを特徴とするシステム。
【発明の詳細な説明】
【技術分野】
【０００１】
本発明は、トランシーバに関するものであり、より詳しくは、トランシーバを制御して無線性能を改善する方法に関するものである。
【背景技術】
【０００２】
トランシーバは、例えば無線装置を含む多くの通信システムにおいて使用されている。トランシーバは、装置における送受信動作の両方に利用することができる。多くの場合、トランシーバは、ベースバンドプロセッサ、アンテナ、およびシステムの関係回路の間に接続される。受信方向では、入力される無線周波数（ＲＦ）信号をトランシーバが受信して、トランシーバはこれらの信号を、ベースバンドプロセッサで処理するためのより低い周波数にダウンコンバートする。送信方向では、入力されるベースバンドデータをトランシーバに供給して、トランシーバがこのデータを処理してより高い周波数、例えばＲＦ周波数にアップコンバートする。そして、アップコンバートしたＲＦ信号はパワーアンプ（ＰＡ）に伝えられれて増幅され、アンテナを介して送信される。
【０００３】
したがって、トランシーバはデジタル領域とＲＦ領域との間のインタフェースとして機能する。ダウンコンバージョンおよびアップコンバージョン、変調および復調、並びに他の関連したタスクは、トランシーバが果たす様々なタスクのうちの１つである。トランシーバは大抵、自身に接続したベースバンドプロセッサにより制御される。
【０００４】
トランシーバはパワーアンプに接続され、このアンプが、アンテナ経由での送信用に適切に調整されたＲＦ信号を発生する。送信方向では、トランシーバはＲＦ信号をパワーアンプに供給して、このアンプが所定の変調形式についてのゲイン情報およびランプ情報に基づいて信号を増幅する。異なる無線通信プロトコルは異なる変調方式を実現する。例えば、グローバル・システム・フォー・モバイル・コミュニケーション（ＧＳＭ）システムは、音声データ用のガウスフィルタ最小偏移変調（ＧＭＳＫ）方式を含む種々の変調方式を実現することができる。さらに、ＧＳＭに対する拡張、例えばエンハンスト・データレート・フォーＧＳＭエボリューション（ＥＤＧＥ、ＧＳＭベースのデータ通信システム）は、他の変調方式、例えば８位相偏移変調（８‐ＰＳＫ）方式を使用する。
【０００５】
多くの異なるパワーアンプが存在するが、大部分のＰＡは、様々な制御信号、例えばベースバンドプロセッサからの制御信号を、データ信号、例えばトランシーバからのデータ信号と共に受信する。これらの制御信号はイネーブル信号などを含む。また、ＰＡは電源電圧および／または１つ以上のバイアス電圧を受信する。特定の無線プロトコルにおける一部のＰＡは、線形アーキテクチャを実現する。これらのＰＡは、２重の動作モード、すなわち飽和モードおよび線形モードにおいて動作することができる。ＧＭＳＫ方式は、一般に飽和モードで送信し、このモードでは、送信データを、バーストの有用な期間中に電力対時間で測定すれば一定の出力レベルでＰＡから出力する。対照的に、８‐ＰＳＫ変調は線形モードで実現され、このモードでは、バーストの有用な期間中に電力対時間で測定すれば時間変化する出力レベルをＰＡから出力する。
【０００６】
３ＧＰＰの仕様書には、混在動作モードが記載されている。二重転送モードとして知られているこの混在動作モードは、スロット間期間中に変調方式を切り替える。詳細には、１つの実現は、異なるスロットにおいてＧＭＳＫ／８‐ＰＳＫ方式が交互する送信を要求する。変調方式間の制御はスロット間の期間中に切り替わる。したがって、３ＧＰＰの仕様は、スロット間期間中にパワーアンプの出力の過渡状態が低減または解消されて適切な動作を提供するように、切替スペクトルを合わせることを要求する。
【発明の開示】
【発明が解決しようとする課題】
【０００７】
より多くのサービス提供者が混在モードでの動作を可能にすると共に、無線システムは、特に混在モードの動作のために、スロット間期間中の切替スペクトルを改善する必要がある。
【課題を解決するための手段】
【０００８】
一好適例では、本発明は、第１スロットの無線周波数（ＲＦ）データを、ＲＦ信号経路を介してトランシーバからパワーアンプに送信するステップと、スロット間期間の所定部分中にＲＦ信号経路をスケルチするステップと、第２スロットのＲＦデータを、ＲＦ信号経路を介してトランシーバからパワーアンプに送信するステップとを具えている方法を含む。ＲＦ信号経路は、異なる方法で、例えばトランシーバの出力バッファを無効にすることによってスケルチすることができる。ＲＦ信号経路をスケルチすることに加えて、トランシーバのランプ出力を所定期間中に無効とすることができる。
【０００９】
本発明の他の態様は、ベースバンドデータを受信してＲＦデータをパワーアンプに供給するトランシーバを含む装置にある。この装置はさらに、トランシーバを制御して、マルチスロット通信の異なるスロット間のスロット間期間中にＲＦ出力をスケルチするコントローラを含むことができ、このことは一部の好適例では混在モードの通信とすることができる。この装置はさらに、トランシーバに接続され、制御情報をトランシーバに送ってトランシーバのランプ出力を無効にするベースバンドプロセッサを含むことができ、このベースバンドプロセッサはさらに、ＲＦ出力のスケルチを制御するコントローラを含むことができる。
【００１０】
また、本発明の別の態様は、トランシーバ、ベースバンドプロセッサおよびパワーアンプを含むシステムにある。トランシーバは、ベースバンドデータおよび制御情報を受信して、ＲＦデータをパワーアンプに供給することができる。さらに、トランシーバは、混在モードのマルチスロット通信におけるスロット間のスロット間期間中にＲＦ出力をスケルチすることができる。異なる動作モードでは、パワーアンプ用のランプ制御を、ベースバンドプロセッサまたはトランシーバのいずれから提供することができる。
【発明を実施するための最良の形態】
【００１１】
種々の実施例において、トランシーバを制御して、通信サイクルの特定部分中にトランシーバのＲＦ出力を除去またはスケルチして、トランシーバを接続したパワーアンプの出力における過渡状態を回避することができる。さらに、一部の実施例では、通信サイクルのこれらの部分中に、パワーアンプに対するランプ制御もスケルチすることができる。さらに、このランプ制御は、特定の変調方式用のベースバンド制御と他の変調方式用のトランシーバ制御との間で切り替わることができる。以下の説明は、混在動作モード、より詳しくはＧＭＳＫおよび８‐ＰＳＫ変調方式を用いる混在動作モードを参照するが、本発明の範囲を制限するものではないことを理解されたい。
【００１２】
以下、図１を参照して説明し、図１に、本発明の一実施例による無線システムの一部のブロック線を示す。図１に示すように、システム１０はベースバンドプロセッサ２０を含む。種々の実施例では、ベースバンドプロセッサ２０は、無線通信のデータ、例えば音声および／またはデータ通信のデータを処理する機能を果たすことができる。さらに、ベースバンドプロセッサ２０は、制御信号を、他のシステムの構成要素、例えばベースバンドプロセッサ２０に接続されたトランシーバ３０に供給することができる。
【００１３】
ベースバンドプロセッサ２０は、無線データを、例えばＩ及びＱ信号の形でトランシーバ３０に供給する。さらに、ベースバンドプロセッサ２０は、制御信号をトランシーバ３０に供給する。一実施例では、こうした制御情報をシリアル制御インタフェース（ＳＣＩ）を介して送ることができるが、本発明の範囲はこれに限定されない。さらに図１に示すように、ベースバンドプロセッサ２０はさらに、ランプ信号をトランシーバ３０に供給する。他の実施例では、ベースバンドプロセッサ２０内のランプ・デジタル‐アナログ変換器（ＤＡＣ）は、ランプ信号を発生して、トランシーバ３０に供給することができる。ランプ信号を用いて、送信バーストの前にトランシーバをランプアップ（ランプ上昇）し、バースト送信後にトランシーバをランプダウン（ランプ下降）して、信号性能を改善することができ、例えば、帯域外スプリアス（不要）ノイズを防止することができる。ランプ信号の使用について以下に説明する。
【００１４】
無線データを受信すると、トランシーバ３０は、例えば所望の変調方式による周波数変換および変調を含む様々な処理を実行することができる。データはＲＦ出力データ（ＲＦＯ）としてトランシーバ３０から送信することができ、そして電力入力信号（Ｐｉｎ）としてＰＡ４０に入力することができる。トランシーバ３０はさらに、ランプ出力信号（ＲＡＭＰＯＵＴ）を供給するように結合することができ、ランプ出力信号はＶＲＡＭＰとしてＰＡ４０に入力される。そして、増幅したＲＦ信号は、ＰＡ４０から電力出力信号（ＰＡｏｕｔ）として送信され、アンテナ５０から出力される。
【００１５】
ＰＡ４０の出力における過渡状態を低減するために、トランシーバ３０を制御して、そのＲＦ出力をスロット間期間内の所定時刻にスケルチすることができる。このようにして、システム１０の性能を改善し、混在動作モードにおけるスイッチング過渡状態についてのスベクトル要求を満足することができる。さらに、スロット間期間内の所定時刻に、トランシーバ３０からのランプ出力をゼロ値に制御することもできる。
【００１６】
異なる実施例では、トランシーバを制御してこうしたスロット間無音期間を可能にする種々の方法を実行することができる。一実施例では、ベースバンドプロセッサからの制御情報をこのスロット間期間中に受信し、この情報を用いてＲＦ出力信号のＲＦスケルチをトリガし、さらに、ランプ出力信号を接地レベルまたは他の基準レベルに固定することができる。
【００１７】
以下、図２を参照して説明し、図２に、本発明の一実施例によるマルチスロット遷移のタイミング図を示す。図２に示すように、第１スロット（スロットＸ）は８‐ＰＳＫ変調を用いて送信され、第２スロット（スロットＸ＋１）はＧＭＳＫ変調を用いて送信される。図２に示すように、種々のレジスタの内容に対応する制御情報をベースバンドプロセッサから送信し、トランシーバのシリアルポートで受信する。図２に示すように、種々の制御レジスタの内容を、第１スロットの伝送時間の前に、シリアルポートを介してトランシーバに送信することができる。図２の実施例では、これらの制御レジスタをレジスタ２１‐２４ｈとして示す。これらのレジスタの内容は、データ送信用の種々の制御情報を含むことができる。この種の制御情報はとりわけ、例えば、バンドインジケータ、チャネル番号、自動周波数制御（ＡＦＣ）の微調整データ、送信機の設定情報、モード選択データを含むことができる。もちろん、他の実施例では、追加的な、あるいは異なる制御情報を送信することができる。
【００１８】
さらに図２を参照すると、マルチスロット期間全体にわたって電力マスク
2009510833.tif 000003
が有効であることに注意されたい。また、ベースバンドプロセッサから入力されるランプ信号（ＲＡＭＰＩＮ）は、第１スロットの前にランプアップし、スロット間期間中にランプダウンし、さらに、第２スロットの前に再びランプアップすることに注意されたい。しかしながら、種々の実施例では、トランシーバからパワーアンプに供給されるランプ出力信号（ＲＡＭＰＯＵＴ）を制御して、スロット間期間内の所定期間中にスケルチさせることができるが、追加的な詳細事項は後述する。
【００１９】
図２はスロット間期間の詳細な差し込み図も示す。図示のように、スロット間期間は、テールビットによって両側を包囲された複数のガードビットで形成される。この差し込み図はさらに、制御情報がトランシーバにおいてベースバンドプロセッサから（すなわち、シリアルデータ入力／出力線（ＳＤＩＯ／ＳＣＬＫ）上で）受信されることを示す。さらに、イネーブル信号は他のシリアル制御線
2009510833.tif 000004
経由で受信される。このイネーブル信号がロー状態からハイ状態に遷移するとき（すなわち、４分の１ビット（ｑＢ）カウンタの１７番目において）、スロット間期間に送られた制御情報、すなわち、ベースバンドプロセッサから選択したレジスタ（すなわち、図２の実施例ではレジスタ２３ｈ）に書き込まれたデータが供給される。詳細には、このデータはＲＦ信号をスケルチしてランプ出力を固定するための制御情報を含むことができる。
【００２０】
したがって、図２の差し込み図に示すように、ＲＦ出力（ＲＦＯ）信号はゼロ値にスケルチされる。これに応じて、図２に示すように、ＰＡの対応する出力（ＰＡＯＵＴ）もスケルチされる。トランシーバからのＲＦ出力信号をスケルチする種々の方法が可能であるが、一実施例では、送信用のＲＦデータを調整するトランシーバの出力バッファを無効にすることができる。この実施例では、スロット間期間中にベースバンドプロセッサから送られた制御情報は、出力バッファを無効にするための無効ビットを含むことができる。したがって、この無効ビットを
2009510833.tif 000005
信号によって有効にすると、出力バッファが無効にされ、これによりＲＦ出力がスケルチされる。出力バッファを無効にすることは、トランシーバの他の回路、例えば位相ロックループ（ＰＬＬ）の連続動作を維持しつつ、トランシーバからの出力信号を止めることができる。したがって、出力バッファの無効信号をアサート停止にする際に、ＲＦ出力データを送信し始めるための追加的設定時間を必要としない。
【００２１】
追加的な制御情報をスロット間期間中にレジスタに送ることができる。例えば、レジスタは８‐ＰＳＫモードで使用するためのランプ出力値を含むことができる。こうした値はデジタル値およびアナログ値を共に含むことができ、所望の動作モードに応じて、これらのいずれも使用することができる。さらに、ゲイン値を送ることもでき、このゲイン値を用いて、８‐ＰＳＫ動作中にトランシーバ内の可変利得増幅器（ＶＧＡ）を制御することができる。さらに、次のスロット用の動作モード、例えば８‐ＰＳＫまたはＧＭＳＫモードを示すモードビットを送信することができる。
【００２２】
もちろん、ＲＦ出力信号を無効にする他の方法を提供することができる。例えば、ＲＦ出力線をスイッチに接続して、このスイッチを、例えばトランシーバから受信した制御情報に基づいて制御することができる。さらに、他の実施例では、トランシーバは、独立してそのＲＦ出力を適時に無効にする制御論理回路を含むことができる。こうした制御論理回路が多くの形態をとることができるが、一部の実現では、論理回路は、ベースバンドプロセッサから制御信号を受信することができ、あるいは、スロット間期間中の適時に、例えば出力バッファを無効にすること、スイッチを開くこと、または他の方法によってＲＦ出力の無効化を実効するようにプログラムされることができる。
【００２３】
また図２の差し込み図を参照すると、スロット間期間中に制御情報によって有効にされた際に、ランプ出力信号も制御される。詳細には、ランプ出力信号（ＲＡＭＰＯＵＴ）もゼロ値に固定される。一実施例では、制御情報内のモード選択ビットを用いて、ランプ出力信号を固定することができる。しかしながら、他の実施例では、ランプ出力信号をスケルチする他の方法を実行することができる。
【００２４】
このようにして、電力の過渡状態をパワーアンプの出力から低減または除去することができる。図２に示す実施例では、これらスケルチの動作は、４分の１ビット４つ分の間（４ｑＢ）作用しているが、本発明の範囲はこれに限定されない。したがって、スロット間の無音期間を設けることによって、パワーアンプの性能改善を達成することができ、ＰＡを含むハンドセットまたは他の無線装置が、認定試験、例えば混在モード・マルチスロット送信中のスイッチング過渡状態についてのスベクトル要求に合格することを可能にする。
【００２５】
異なる動作モードでは、トランシーバから送られたランプ出力信号を異なる方法で取得し利用することができる。詳細には、ＧＭＳＫモードでは、トランシーバがランプ入力ピン（すなわち図１のＲＡＭＰＩＮ）で受信した電圧をその出力（すなわち図１のＲＡＭＰＯＵＴ）に伝えて、ランプ電圧をパワーアンプに供給することができる。換言すれば、ランプ出力はランプ入力に追従する。対照的に、８‐ＰＳＫモード中には、トランシーバのランプ入力ピンで受信した電圧を用いて、トランシーバのゲインを調整して、そのランプ出力を達成することができる。したがって、出力ランプ信号は独立して制御可能な出力とすることができ、これを用いて８‐ＰＳＫの動作モード用のバイアス電圧（すなわち固定電圧）をパワーアンプに供給する。一部の実現では、トランシーバ３０はスイッチ、たとえば単極双投（ＳＰＤＴ）スイッチを含み、これにより、ベースバンドプロセッサ２０から受信したランプ信号をランプ出力信号としてＰＡ４０供給することも、トランシーバ３０から独立して発生したランプ出力信号をＰＡ４０に供給することもできる。
【００２６】
図２の差し込み図をさらに参照すると、スロット間の無音期間後に、ランプ出力（ＲＡＭＰｏｕｔ）信号が、ベースバンドプロセッサからのランプ入力信号（ＲＡＭＰＩＮ）に追従し始めることに注意されたい。さらに、ＲＦ出力信号はスケルチ値から有効な信号値に切り替わり、対応するＰＡの出力もランプアップして次の通信スロットに備えることに注意されたい。
【００２７】
以下、図３を参照して説明し、図３に、本発明の他の実施例によるマルチスロット遷移のタイミング図を示す。図３に示すように、第１スロット（スロットＸ）はＧＭＳＫ変調を用いて送信され、第２スロット（スロットＸ＋１）は８‐ＰＳＫ変調を用いて送信される。図３に示すように、ベースバンドプロセッサからトランシーバへの送信制御情報は、図２に関して前述したものと同様にすることができる。図３の実施例では、スロット間の無音期間の前に、ランプ出力信号がトランシーバから受信したランプ入力信号に追従することに注意されたい。しかしながら、スロット間の無音期間後には、８‐ＰＳＫモード中のランプ出力信号はランプ入力信号に追従しない。その代わりに、ランプ出力信号は、例えばベースバンドプロセッサから受信したランプ制御値に依存させることができる。ＲＦ出力はスロット間期間内の所定部分において、ランプ出力信号のようにスケルチされる。スロット間の無音期間後には、ＲＦ出力信号は再び有効にされ、パワーアンプが第２スロット内の送信のためにランプアップすることを可能にする。
【００２８】
以下、図４を参照して説明し、図４に、本発明の一実施例によるトランシーバのブロック線図を示す。こうしたトランシーバは、例えばセルラ・ハンドセットまたは無線データモデムに用いられるクワッドバンド（４帯域）のＧＳＭ／ＧＰＲＳ／ＥＤＧＥ無線通信用のＣＭＯＳトランシーバとすることができるが、本発明の範囲はこれに限定されない。
【００２９】
図４に示すように、トランシーバ２３２は無線システム、例えば代表的な無線システム２３０に組み込むことができる。トランシーバ２３２は受信機２３４および送信機２３６を含むことができる。受信機２３４はヘテロダイン受信機またはホモダイン受信機とすることができ、低中間周波数（ＩＦ）アーキテクチャを含むことができる。本発明の一部の実施例では、送信機２３６はダイレクト・アップ（コンバージョン）またはヘテロダイン送信機とすることができる。送信機２３６がヘテロダイン送信機である本発明の実施例では、ヘテロダイン送信機は、オフセット・フェーズロックループ（ＰＬＬ）アーキテクチャを内蔵することができる。
【００３０】
図４をさらに参照すれば、ランプ発生器２３３は、例えば８‐ＰＳＫの動作モードについては、ランプ出力として供給されるランプ信号を発生することができる。したがって、スイッチＳ１は、ランプ発生器２３３の出力またはベースバンドプロセッサ２５８からのランプ入力信号のいずれかを選択して、ランプ出力信号としてパワーアンプ２５６に伝えるように結合される。さらに、８‐ＰＳＫ動作中には、ベースバンドプロセッサ２５８から入力されるランプ信号を送信機２３６に出力してゲインを調整することができる。
【００３１】
図４に示すように、本発明の一部の実施例では、トランシーバ２３２のシンセサイザ２３７は、無線周波数（ＲＦ）局部発振器信号を受信機２３４に供給することができ、さらに、シンセサイザ２３７は、ＲＦ局部発振器信号およびＩＦ局部発振器信号を送信機２３６に出力することができる。本発明の特定実施例次第では、シンセサイザ２３７は、ＲＦ ＰＬＬ又はＩＦ ＰＬＬ、あるいはこれらの構成要素の両方の組合せを内蔵することができる。シンセサイザ２３７の主機能は、局部発振器信号を受信機２３４および送信機２３６に供給することにある。
【００３２】
さらに図４に示すように、本発明の一部の実施例では、ベースバンドインタフェース２４０は、ベースバンドプロセッサ２５８に対するインタフェースを形成する。本発明の特定実施例次第では、ベースバンドインタフェース２４０は、デジタルインタフェース、アナログインタフェースまたは、デジタルおよびアナログインタフェースの組合せとすることができる。
【００３３】
また、図４にトランシーバ２３２内の制御記憶装置２５０を示す。制御記憶装置２５０は、種々の構成情報および制御情報を受信し記憶するように結合することができる。また図４に示すように、制御記憶装置２５０はさらに、情報を出力してランプ発生器２３３、受信機２３４、シンセサイザ２３７および送信機２３６に供給するように結合することができる。さらに、説明を簡略化するため、図４には示してはいないが、制御記憶装置２５０からの構成情報を、パワーアンプ２５６、ＲＦフィルタ２５４、アンテナスイッチ２５７およびアンテナ２５８に結合して、これらの構成要素を所望通りに制御することができる。
【００３４】
図４では特定構成要素を含むように示しているが、他の実施例では、トランシーバ２３２は、追加的および／または異なる構成要素を含むことができ、図４に示す実施例は例示目的であることを理解されたい。
【００３５】
以下、図５を参照して説明し、図５に、本発明の一実施例によるシステムのブロック図を示す。図５に示すように、システム３０５はセルラ電話機のハンドセットとすることができるが、本発明の範囲を葉これに限定されない。例えば、他の実施例では、システムは、ポケットベル、パーソナル・ディジタル・アシスタント（ＰＤＡ：個人用携帯情報端末）または他の同様の装置とすることができる。図示のように、アンテナ３０２をトランシーバ１０２、例えば図４に示すトランシーバに結合することができる。トランシーバ１０２はデジタル信号プロセッサ（ＤＳＰ）３１０に結合することができ、ＤＳＰ３１０はベースバンド通信信号の処理を行うことができる。ＤＳＰ３１０はマイクロプロセッサ３２０、例えば中央演算処理装置（ＣＰＵ）に結合することができ、マイクロプロセッサ３２０を用いて、システム３０５の動作を制御し、さらに、アプリケーションプログラム、例えば個人情報管理（ＰＩＭ）プログラム、電子メールプログラム、ダウンロードしたゲームなどの処理を行うことができる。マイクロプロセッサ３２０およびＤＳＰ３１０はメモリ３３０にも結合することができる。メモリ３３０は異なるメモリ部品、例えばフラッシュメモリまたは読出し専用メモリ（ＲＯＭ）を含むことができるが、本発明の範囲はこれに限定されない。さらに、図５に示すように、ディスプレイ３４０が存在して、通話およびアプリケーションプログラムに関連する情報の表示を提供することができる。なお、以上の説明はシステム３０５の特定構成要素を参照しているが、説明及び図示した実施例の多くの変更および変形が可能である。さらに、トランシーバ１０２は、機械読取可能な記憶媒体の形態の品目を含むことができ、（あるいは、こうした品目、例えばメモリ３３０に結合することができ、）この媒体上に、ソフトウェアプログラムを形成する命令およびデータが記憶される。このソフトウェアプログラムをトランシーバ１０２により実行して、ＤＳＰ３１０から受信した制御情報に従う動作を実行させることができる。
【００３６】
本発明は限定数の実施例について説明してきたが、当業者はこれらの実施例から多数の変更および修正を考えることができる。請求項は、本発明の真の範囲内に入るすべてこうした変更及び変形をカバーすることを意図している。
【図面の簡単な説明】
【００３７】
【図１】本発明の一実施例による無線システムの一部のブロック図である。
【図２】本発明の一実施例によるマルチスロット遷移のタイミング図である。
【図３】本発明の他の実施例によるマルチスロット遷移のタイミング図である。
【図４】本発明の一実施例によるトランシーバのブロック図である。
【図５】本発明の一実施例によるシステムのブロック図である。
【図１】
2009510833.tif 000006
【図２】
2009510833.tif 000007
【図３】
2009510833.tif 000008
【図４】
2009510833.tif 000009
【図５】
2009510833.tif 000010
【国際調査報告】
2009510833.tif 000011
2009510833.tif 000012
2009510833.tif 000013